(57)【要約】【課題】  複数のエレメントを長さ方向に対して略直交状に並設した構造物の端部の面壁構造、盛土の土留め構造、及びその施工方法を提供する。【解決手段】  地中（盛土３）に複数のエレメント２，２’を長さ方向に対して略直交状に並設した盛土３の土留め構造であって、一つのエレメント２の略２倍の幅を有する面壁１が、隣接する３つのエレメント２,２,２の端部に跨るように配設され、３つのエレメント２,２,２のうちの中央に位置するエレメント２のみに面壁１が固定されている。【選択図】  図１
2005207104.tif 000002
【特許請求の範囲】
【請求項１】
複数のエレメントを長さ方向に対して略直交状に並設した構造物の端部の面壁構造であって、一つのエレメントの略２倍の幅を有する面壁が、隣接する３つのエレメント端部に跨るように配設され、３つのエレメントのうちの中央に位置するエレメントのみに面壁が固定されていることを特徴とする面壁構造。
【請求項２】
地中に複数のエレメントを長さ方向に対して略直交状に並設した盛土の土留め構造であって、一つのエレメントの略２倍の幅を有する面壁が、隣接する３つのエレメント端部に跨るように配設され、３つのエレメントのうちの中央に位置するエレメントのみに面壁が固定されていることを特徴とする盛土の土留め構造。
【請求項３】
面壁は、鉄筋コンクリート成形品又はプレキャスト繊維補強コンクリート成形品であることを特徴とする請求項２に記載の盛土の土留め構造。
【請求項４】
地中に複数のエレメントを長さ方向に対して略直交状に並設した盛土の土留め構造の施工方法であって、予め一つのエレメントの略２倍の幅を有するように成形された面壁を、隣接する３つのエレメント端部に跨るように配設し、３つのエレメントのうちの中央に位置するエレメントのみにアンカーを打ち込んで面壁を固定することを特徴とする盛土の土留め構造の施工方法。
【発明の詳細な説明】
【技術分野】
【０００１】
本発明は、複数のエレメントを長さ方向に対して略直交状に並設した構造物の端部の面壁構造、盛土の土留め構造、及びその施工方法に関する。
【背景技術】
【０００２】
近年、交通施設相互の交差において、非開削工法で、地中に複数のエレメントを長さ方向に対して略直交状に並設する構造が採用されるケースが増加している。これは特に鉄道線路下や道路下を横断する構造物を構築する場合、軌道面や舗装面への影響を最小限にとどめること、横断構造物の断面が大きくなってきていること、延長が長くなってきていることなどに対応するものであり、桁形式では対応できないものである。
具体的には、断面矩形状の３種の鋼製エレメント（基準、隅角部、Ｔ字部）と断面略コ字状の鋼製エレメント（一般部エレメント）とを地中に引き込むと共に隣接する鋼製エレメント同士を継手相互で嵌合するように組み合わせ、地中に非開削で箱型ラーメン形式や円形等の構造物を延長に制約されずに容易に構築できる方法である（例えば特許文献１，２など）。
そして、エレメントの内部にはモルタルが充填され、エレメントの端部には盛土の土留め並びにエレメント端部の化粧を目的として面壁が立設される。
【０００３】
このような構造物において、エレメント同士を連結する継手嵌合部分にはグラウトが充填されるが、盛土の上面に配設された鉄道線路や自動車道路の上を列車や自動車が通過すると、荷重が進行方向に向かって順にエレメントに作用し、それによって隣接するエレメント間で段差を生じる。そのため、隣接する二つのエレメントの端部に跨って面壁を取り付けると、面壁が上述の段差に相当する部分でひび割れ等を生ずることがあった。
【特許文献１】特開２０００−２２０３７５公報
【特許文献２】特開２０００−１２０３７２公報
【発明の開示】
【発明が解決しようとする課題】
【０００４】
前記構造における面壁としては、内部に鉄筋を縦横に配設した厚肉のものが用いられていた。また、この面壁は、現場施工にて立設されていた。
しかし、この従来の面壁は、厚肉で鉄筋も用いているため材料費が嵩み、高重量であるため構造物全体の耐久強度にも支障を生ずる虞があった。
そこで、本発明は、薄肉で軽量である面壁を用いて施工できる面壁構造、盛土の土留め構造、及びその施工方法を提案することを目的とする。
【課題を解決するための手段】
【０００５】
本発明は上記に鑑み提案されたもので、複数のエレメントを長さ方向に対して略直交状に並設した構造物の端部の面壁構造であって、一つのエレメントの略２倍の幅を有する面壁が、隣接する３つのエレメント端部に跨るように配設され、３つのエレメントのうちの中央に位置するエレメントのみに面壁が固定されていることを特徴とする面壁構造に関するものである。
【０００６】
また、本発明は、地中に複数のエレメントを長さ方向に対して略直交状に並設した盛土の土留め構造であって、一つのエレメントの略２倍の幅を有する面壁が、隣接する３つのエレメントの端部に跨るように配設され、３つのエレメントのうちの中央に位置するエレメントのみに面壁が固定されていることを特徴とする盛土の土留め構造をも提案するものである。
【０００７】
尚、前記本発明の面壁構造は、複数のエレメントが長さ方向に対して略直交状に並設された構造物の端部に適用されるものであって、特にエレメントが盛土（地中）に埋設されている場合に適用したものが盛土の土留め構造である。即ち面壁がエレメント端部を隠す化粧面として利用されることを第１の目的とし、加えて土留めなどに利用しても良い。言い換えると、本発明における面壁構造は盛土の土留め構造を含む上位概念であって、複数のエレメントが盛土（地中）に埋設されていない用途にも適用できるものである。
【０００８】
さらに、本発明は、地中に複数のエレメントを長さ方向に対して略直交状に並設した盛土の土留め構造であって、予め一つのエレメントの略２倍の幅を有するように成形された面壁を、隣接する３つのエレメントの端部に跨るように配設し、３つのエレメントのうちの中央に位置するエレメントのみにアンカーを打ち込んで面壁を固定することを特徴とする盛土の土留め構造の施工方法をも提案する。
【発明の効果】
【０００９】
本発明の面壁構造、盛土の土留め構造は、列車等の通過に伴う荷重が進行方向に向かって順にエレメントに作用しても、隣接する３つのエレメントのうちの中央に位置するエレメントのみに面壁が固定され、左右に位置するエレメントには連結されていないので、面壁に隣接するエレメント間に生ずる段差の影響が作用することもなく、そのためひび割れが生ずることがなく、化粧、盛土の土留めという目的を継続的に果たすことができる。
【００１０】
また、面壁は、工場製品であって、薄肉で軽量に成形することができるため、面壁を現場に運搬して簡易に設置できる。したがって、本発明の盛土の土留め構造の施工方法は、現場打ちコンクリートにて面壁を成形する場合に比べて品質の向上並びに均一化が図れ、施工に時間的な制約も無いので、工期の短縮も図れる。
【００１１】
面壁は鉄筋コンクリートで成形しても良いが、特にプレキャスト繊維補強コンクリートで成形した場合、薄肉で軽量な無筋コンクリートを用いることになるので、面壁の現場への運搬に際しても現場での設置に際しても作業が容易であり、しかも強固な面壁を施工することができるものとなる。
【発明を実施するための最良の形態】
【００１２】
面壁として、薄肉化した無筋コンクリートであるプレキャスト繊維補強コンクリート成形品を用いる。
【実施例１】
【００１３】
本発明を図面の実施例に基づいて説明する。
尚、前述のように本発明の面壁構造を、エレメントが盛土（地中）に埋設されている場合に適用したものが本発明の盛土の土留め構造であるから、以下の実施例は盛土の土留め構造の実施例を示して面壁構造の実施例を兼ねるものとする。
図１には、本発明における盛土の土留め構造の正面図を示し、図２には、その側面図を示している。
まず、本発明の対象となる構造物は、図示実施例では一般部エレメント２と隅角部エレメント２'のみが表れているが、前述のように断面矩形状の３種の鋼製エレメント（基準、隅角部、Ｔ字部）と断面略コ字状の鋼製エレメント（一般部エレメント）を、掘削装置に連結させて牽引することにより、盛土３（地中）に引き込むと共に隣接するエレメント同士を継手相互で嵌合するように組み合わせて構成されている。
そして、エレメント同士を連結する継手嵌合部分２１にはグラウト（図示せず）が充填され、エレメント２,２'の内部にはモルタル２２が充填される。
【００１４】
面壁１は、予め一つのエレメント２の略２倍の幅を有するように成形された工場製品であって、鉄筋コンクリート板でも良いが、図示実施例ではプレキャスト繊維補強コンクリートからなる成形品であり、その上半部分が土留め部１１、その下半部分が化粧部１２、内側に突出する部分がエレメント２への取付部１３である。また、その頂部にはパイプ高欄８が一体状に立設されている。
【００１５】
この面壁１のエレメント２への取り付けは、面壁１を隣接する３つのエレメント２,２,２の端部に跨るように配設し、３つのエレメント２,２,２のうちの中央に位置するエレメント２のみに等間隔で３本のアンカー４を打ち込んで面壁１を固定する。尚、エレメント２,２'には、予めアンカー用の孔を開けておき、その孔にアンカー４を取り付けるようにしても良い。
尚、図中、５は透水シート、６は樋、７は補助固定アンカーである。
【００１６】
尚、面壁１の作製に用いたコンクリートの配合を表１に示す。コンクリート強度は２７Ｎ/mm2とした。また、空気量は４.５％としている。補強繊維としては、例えば鋼繊維、ガラス繊維、炭素繊維などを用いることができるが、ここではポリプロピレン（ＰＰ）短繊維（２０デニール，２０mm）を用い、混入率は０.８vol％とした。
【表１】
2005207104.tif 000003
【００１７】
このように施工された本発明の盛土の土留め構造は、薄肉で軽量の面壁を用いるため、面壁の立設を容易に実施でき、現場打ちコンクリートにより施工される厚肉で鉄筋を配筋した面壁を施工するものと比べて極めて作業性が優れていることが確認された。
【００１８】
〔性能試験〕
比較のため、前記と同じ面壁１を用い、前記と同様に３つのエレメント２,２,２に跨るように配設し、その３つのエレメント２,２,２の全ての端部にアンカー４を打ち込んで固定した。
そして、盛土３の表面に沿って荷重を長さ方向へ移動させたところ、上述の比較例では隣接するエレメント２，２間で面壁１にクラックが発生したが、前述のようにの中央のみのエレメント２のみの端部にアンカー４を打ち込んで固定したものではクラックは全く発生しなかった。
【産業上の利用可能性】
【００１９】
各種交通機関の立体交差工事などに適用される。
【図面の簡単な説明】
【００２０】
【図１】本発明における盛土の土留め構造の一実施例を示す一部を欠載した正面図である。
【図２】鋼製エレメントの幅方向を省略した図１の側面図である。
【符号の説明】
【００２１】
１  面壁
１１  土留め部
１２  化粧部
１３  取付部
２  （一般部）エレメント
２１  継手嵌合部分
２２  モルタル
３  盛土
４  アンカー
５  透水シート
６  樋
７  補助固定アンカー
８  パイプ高欄
【図１】
2005207104.tif 000004
【図２】
2005207104.tif 000005